(57)【要約】【課題】分光光度計を利用して衣類から取得した測色データを、所定の手法に従って衣類の透明感の程度を示す数値に変換して取得し、これら取得数値相互を比較して個々の衣類の透明感を客観的に評価できる衣類の透明感評価方法の提供。【解決手段】基礎データとしての基準濃度を取得する基準濃度数値取得ステップと、ある衣類を標準衣類と定め、該標準衣類の濃度を測定してこれを標準濃度として取得する標準濃度数値取得ステップと、適宜選定された複数のサンプル衣類の濃度を測定し、これらを各サンプル濃度として取得するサンプル濃度数値取得ステップと、前記標準濃度数値と各サンプル濃度数値とに基づいて前記標準衣類および各サンプル衣類の透明感の高低を相対的に判定する透明感判定ステップとを経ることにより行われる。【選択図】なし【特許請求の範囲】
【請求項１】
分光光度計が備える測色台の暗色系の基準色地を測色して基準濃度数値を取得する基準濃度数値取得ステップと、
選定された標準衣類の一部領域をこれが着用時に生成される全方位方向での伸張状態と略同等の伸張状態を疑似生成させて測色台の前記基準色地上にその表面を表出させて固定し、前記分光光度計により前記一部領域を測色して標準濃度数値を取得する標準濃度数値取得ステップと、
前記標準衣類とは使用糸および／または編み組織を異にして用意される各サンプル衣類における前記一部領域との対応領域を前記標準衣類と同一の伸張条件のもとで測色台の前記基準色地上にその表面を表出させて個別に固定し、前記分光光度計により前記対応領域を各別に測色してサンプル衣類の別に個々のサンプル濃度数値を取得するサンプル濃度数値取得ステップと、
前記標準濃度数値と各サンプル濃度数値とに基づいて前記標準衣類および各サンプル衣類の透明感の高低を相対的に判定する透明感判定ステップとからなることを特徴とする衣類の透明感評価方法。
【請求項２】
前記透明感判定ステップでは、前記標準濃度数値および各サンプル濃度数値の間における個々の数値の大小比較を行い、その際の数値の大きい順に透明感が高いと相対的に判定する請求項１に記載の衣類の透明感評価方法。
【請求項３】
前記透明感判定ステップでは、前記標準濃度数値を前記基準濃度数値で除して得られる標準数値を標準透明度と定め、前記サンプル濃度数値のそれぞれを前記基準濃度数値で各別に除して得られるサンプル数値を個々のサンプル透明度と定めるとともに、これら標準数値と各サンプル数値とのそれぞれを相互に大小比較し、その際の数値の大きい順に透明感が高いと相対的に判定する請求項１に記載の衣類の透明感評価方法。
【請求項４】
前記標準数値と各サンプル数値とのそれぞれについての大小比較は、前記基準濃度数値に対応する前記基準透明度を１００とし、該基準透明度から前記標準数値または各サンプル数値を減じることで被覆割合として得られる各数値に変換して行うとともに、その際の各数値の小さい順に透明感が高いと相対的に判定する請求項３に記載の衣類の透明感評価方法。
【請求項５】
前記標準数値と各サンプル数値とのそれぞれについての大小比較は、個々のサンプル数値を前記標準数値を１としたときのそれぞれの比例値に変換し、これら各比例値と前記標準数値である１との間で行うとともに、前記比例値が前記標準数値である１よりも大きい順に、対応するサンプル衣類の透明感が前記標準衣類の透明感よりも相対的に高いと判定する請求項３に記載の衣類の透明感評価方法。
【請求項６】
前記標準衣類と各サンプル衣類とは、同一の用途に供されるストッキングである請求項１ないし５のいずれかに記載の衣類の透明感評価方法。
【発明の詳細な説明】
【０００１】
【発明の属する技術分野】
本発明は、ストッキングを含む各種衣類の着用時における透明感の程度を客観的な数値に変換して取得し、これら各数値を比較して個々の衣類の透明感を客観的に判定できる衣類の透明感評価方法に関する技術である。
【０００２】
衣類における透明感の程度如何は、ファッション性の有無を評価する上での重要な判断要素のひとつであることから、従来よりその客観的な評価判定手法が模索されてきている。
【０００３】
しかし、これまでは、衣類の透明感の程度を数値化することができず、例えば衣類を着用した上で、人体と衣類との間に文字や記号が表示されたカード等を挟み込み、その際にカード等の側の文字や記号がどの程度目視確認できるかを基準にして透明感の程度を判定評価することが行われていた程度である。
【０００４】
しかし、このような従来手法による場合には、透明感の程度について主観的な判定評価はできるとしても、誰もが納得するような客観的な判定評価を行うことができない問題が常につきまとい、人によって異なる感受性の問題と深い関わりのある透明感という感覚的な現象を数値化して客観的に把握できる手法の開発が求められていた。
【０００５】
一方、物体の分光反射率を単位測定時間内で測定できる機器としては、光源からサンプルに対して光が照射され、その反射光を分光器に導いてスペクトルを得るように構成された分光光度計が従来より提供されてきている（例えば、特許文献１参照）。
【０００６】
【特許文献１】
特許第２６０４７５４号特許公報（第２〜３頁、第１図）
【０００７】
【発明が解決しようとする課題】
しかし、特許文献１に開示されている分光光度計は、あくまでもスペクトルの各波長について、その強度を測定し、物質の分光透過率または分光反射率を求めるものとして使用されるに止まり、衣類の透明感を評価するための機器として利用しようとする発想はなかった。
【０００８】
本発明は、従来手法にみられた上記課題に鑑み、分光光度計を利用して衣類から取得した測色データを、所定の手法に従って衣類の透明感の程度を示す数値に変換して取得し、これら取得数値相互を比較することで個々の衣類の透明感を客観的に評価できるようにした衣類の透明感評価方法を提供することを目的とする。
【０００９】
【課題を解決するための手段】
本発明は上記目的を達成すべくなされたものであり、分光光度計が備える測色台の暗色系の基準色地を測色して基準濃度数値を取得する基準濃度数値取得ステップと、選定された標準衣類の一部領域をこれが着用時に生成される全方位方向での伸張状態と略同等の伸張状態を疑似生成させて測色台の前記基準色地上にその表面を表出させて固定し、前記分光光度計により前記一部領域を測色して標準濃度数値を取得する標準濃度数値取得ステップと、前記標準衣類とは使用糸および／または編み組織を異にして用意される各サンプル衣類における前記一部領域との対応領域を前記標準衣類と同一の伸張条件のもとで測色台の前記基準色地上にその表面を表出させて個別に固定し、前記分光光度計により前記対応領域を各別に測色してサンプル衣類の別に個々のサンプル濃度数値を取得するサンプル濃度数値取得ステップと、前記標準濃度数値と各サンプル濃度数値とに基づいて前記標準衣類および各サンプル衣類の透明感の高低を相対的に判定する透明感判定ステップとからなることに特徴がある。
【００１０】
この場合、前記透明感判定ステップでは、前記標準濃度数値および各サンプル濃度数値の間における個々の数値の大小比較を行い、その際の数値の大きい順に透明感が高いと相対的に判定することができる。
【００１１】
また、前記透明感判定ステップでは、前記標準濃度数値を前記基準濃度数値で除して得られる標準数値を標準透明度と定め、前記サンプル濃度数値のそれぞれを前記基準濃度数値で各別に除して得られるサンプル数値を個々のサンプル透明度と定めるとともに、これら標準数値と各サンプル数値とのそれぞれを相互に大小比較し、その際の数値の大きい順に透明感が高いと相対的に判定するものであってもよい。この場合、前記標準数値と各サンプル数値とのそれぞれについての大小比較は、前記基準濃度数値に対応する前記基準透明度を１００とし、該基準透明度から前記標準数値または各サンプル数値を減じることで被覆割合として得られる各数値に変換して行うとともに、その際の各数値の小さい順に透明感が高いと相対的に判定することができる。また、前記標準数値と各サンプル数値とのそれぞれについての大小比較は、個々のサンプル数値を前記標準数値を１としたときのそれぞれの比例値に変換し、これら各比例値と前記標準数値である１との間で行うとともに、前記比例値が前記標準数値である１よりも大きい順に、対応するサンプル衣類の透明感が前記標準衣類の透明感よりも相対的に高いと判定するものであってもよい。
【００１２】
さらに、本発明における前記標準衣類と各サンプル衣類とは、同一の用途に供されるストッキングとするのが望ましい。
【００１３】
【発明の実施の形態】
以下、本発明の実施の形態について詳しく説明する。なお、本発明が適用される衣類には、パンティストッキングを含む各種のストッキング類（例えば図１参照）はもとより、セーター類、シャツ類、下着類など、透明感が問題となる各種の衣服が含まれる。
【００１４】
すなわち、本発明に係る衣類の透明感評価方法は、基礎データとしての基準濃度を取得する基準濃度数値取得ステップと、ある衣類を標準衣類と定め、該標準衣類の濃度を測定してこれを標準濃度として取得する標準濃度数値取得ステップと、適宜選定された複数のサンプル衣類の濃度を測定し、これらを各サンプル濃度として取得するサンプル濃度数値取得ステップと、前記標準濃度数値と各サンプル濃度数値とに基づいて前記標準衣類および各サンプル衣類の透明感の高低を相対的に判定する透明感判定ステップとを経ることにより行われる。
【００１５】
これらの各ステップのうち、基準濃度数値取得ステップは、透明感を評価する上での基準物差しとして必要になる基礎データを濃度に着目して取得しようとするものであり、具体的には分光光度計を用いてその測色台の例えば黒色などの暗色系の基準色地の濃度を所定の手法に従って直接に測色し、これを基準濃度数値として取得することにより行われる。
【００１６】
また、標準濃度数値取得ステップは、評価対象として用意される各サンプル衣類との関係で選定された既存衣類を標準衣類と定め、該標準衣類の一部領域をその着用時に生成される全方位方向での伸張状態と略同等の伸張状態を疑似生成させた状態のもとで測色台の前記基準色地上に枠固定するなど、その表面を表出させた状態で位置固定し、分光光度計を用いて同様の手法で前記一部領域を測色し、これを標準濃度数値として取得することにより行われる。
【００１７】
さらに、サンプル濃度数値取得ステップは、透明度を評価するために用意された複数の各サンプル衣類における前記一部領域との対応領域を前記標準衣類と同一の伸張条件のもとで測色台の前記基準色地上に個別に枠固定するなど、その表面を表出させた状態で位置固定し、分光光度計を用いて同様の手法で前記対応領域を各別に測色し、これをサンプル衣類の別に個々のサンプル濃度数値として取得することにより行われる。この場合、標準衣類と各サンプル衣類とは、同じ用途に供される同種衣類として用意されるものであり、具体的は、例えば同じ形状を呈するストッキングであって、その使用糸および／または編み組織を異にして用意されたものが用いられることになる。
【００１８】
一方、透明感判定ステップは、前記標準濃度数値と各サンプル濃度数値とに基づいて前記標準衣類および各サンプル衣類の透明感の高低を相対的に判定しようとするものであり、具体的には次のようにして処理される。
【００１９】
すなわち、前記透明感判定ステップでは、前記標準濃度数値および各サンプル濃度数値の間における個々の数値の大小比較が行われ、その際の数値の大きい順に透明感が高いと評価する相対的な判定手法のもとで行われる。
【００２０】
また、上記以外の前記透明感判定ステップとしては、前記標準濃度数値を前記基準濃度数値で除して得られる標準数値を標準透明度と定め、前記サンプル濃度数値のそれぞれを前記基準濃度数値で各別に除して得られるサンプル数値を個々のサンプル透明度と定めるとともに、これら標準数値と各サンプル数値とのそれぞれを相互に大小比較し、その際の数値の大きい順に透明感が高いと評価する相対的な判定手法により行うこともできる。
【００２１】
上記判定手法による場合、前記標準数値と各サンプル数値とのそれぞれについての大小比較は、前記基準濃度数値に対応する前記基準透明度を１００とし、該基準透明度から前記標準数値または各サンプル数値を減じることで被覆割合（被覆率）として得られる各数値に変換して行うとともに、その際の各数値の小さい順に透明感が高いと評価する相対的な判定手法によるものであってもよい。
【００２２】
また、所望により、前記標準数値と各サンプル数値とのそれぞれについての大小比較は、個々のサンプル数値を前記標準数値を１としたときのそれぞれの比例値に変換し、これら各比例値と前記標準数値である１との間で行うとともに、前記比例値が前記標準数値である１よりも大きい順に、対応するサンプル衣類の透明感が前記標準衣類の透明感よりも相対的に高く、前記標準数値である１よりも小さい順に対応するサンプル衣類の透明感が前記標準衣類の透明感よりも相対的に低いと評価する相対的な判定手法によるものであってもよい。
【００２３】
【実施例】
次に、本発明方法を倉敷紡績株式会社製の分光光度計（「ＣＯＬＯＲ−７」）を利用して行った具体的な実施例に基づいて説明する。
【００２４】
本実施例において評価対象として用いられて標準衣類とサンプル衣類とは、一般に長靴下とも称されている図１に示す薄手のストッキング１１である。この場合、計１３種類のダブルカバリングヤーン（ＤＣＹ）と計７種類のレッグ交編糸とを適宜組み合わせることにより、計３１種類の使用糸を各別に用いることにより編成された計３１種類のストッキングを用意して行った。
【００２５】
表１は、計３１種類の使用糸についての組合せ例を示すものであり、縦軸と横軸とがともに１として示されている組合せからなる使用糸により編成されたストッキング（表１の組合せ欄中の１）を標準衣類（比較例）とし、その他の組合せ例からなる各ストッキング（表１の組合せ欄中の２〜３１）をサンプル衣類として示す。
【００２６】
【表１】
2004333189.tif 000002
【００２７】
一方、図１は、上記した計３１種類の各ストッキングにおける測色部位を示す説明図であり、その（ａ）は、標準衣類およびサンプル衣類として用意される各ストッキング１１における測色対象部位１５を示すものであり、具体的には、ストッキング１１の踵部１２からの長さｌが２９ｃｍ上方に位置している脹ら脛部１３の一部領域１４を測色対象部位１５としている。また、（ｂ）は、（ａ）に示す測色対象部位１５を含む領域を拡大して示すものであり、この場合、縦辺ａと横辺ｂとの長さがそれぞれ３ｃｍである正方形枠の内接円による囲繞領域が測色対象部位１５となっている。さらに、図２は、黒色を呈する基準色地からなる測色台（図示せず）上に各ストッキング１１の上記脹ら脛部１３が位置している測色対象部位１５を着用時に生成される全方位方向での伸張状態が得られる引張寸法まで引っ張り、その表面１６を表出させて円形枠材１８に固定金具１９を介して位置固定させた状態を示す平面図である。
【００２８】
表２は、上記条件のもとで計３１種類のストッキングを測定することで得られた各対応データを示したものである。なお、表２中で試作品Ｎｏ．１として示されている各対応データは、表１において標準衣類（比較例）として示されているストッキングから得られたデータを、同じく試作品Ｎｏ．２〜３１として示されている各対応データは、表１においてサンプル衣類（表１の組合せ欄中の２〜３１）として示されている各ストッキングから得られたデータをそれぞれ示す。
【００２９】
【表２】
2004333189.tif 000003
【００３０】
上記表２中の「色差項目欄」と「明度差項目欄」とに示されている各データは測定のプロセスで取得された参考データであり、本発明と直接的な関わりを有する項目は、「濃度項目欄」と「透明度項目欄」と「被覆割合項目欄」と「対Ｎｏ．１比項目欄」とに各別に示されているそれぞれのデータである。なお、表２中の「順位項目欄」には、標準衣類（比較例）としてのストッキング（試作品Ｎｏ．１）とサンプル衣類としての各ストッキング（試作品Ｎｏ．２〜３１）とを含む全試作品につき透明感に優れているものの順にその総合順位が示されている。
【００３１】
この場合、「ＴＯＴＡＬ  Ｋ／Ｓ値（濃度）」として表示されている「濃度項目欄」には、分光光度計により黒色である測色台上に図２に示す状態で位置固定させた試作品Ｎｏ．１〜３１を各別に測定した際の各Ｋ／Ｓ（吸収・散乱係数）値が濃度数値として表示されている。因みに、黒色である測色台自体のＫ／Ｓ（吸収・散乱係数）値、つまり濃度数値は２１６．６１であった。なお、図３は、表２における「濃度項目欄」に表示されている試作品Ｎｏ．１〜３１の各濃度数値を折れ線グラフ図として示したものである。
【００３２】
また、「透明度％：下生地割合」として表示されている「透明度項目欄」には、黒色である測色台の濃度数値２１６．６１の透明度を１００（黒色の測色台が露出している状態）とした場合の試作品Ｎｏ．１〜３１の各比例値（黒色の測色台が見える割合）が対応する透明度（％）としてそれぞれ示されている。
【００３３】
さらに、「被覆割合％」として表示されている「被覆割合項目欄」には、黒色である測色台の透明度１００から試作品Ｎｏ．１〜３１の各透明度（％）を減じた数値が被覆割合（％）としてそれぞれ示されている。なお、図４は、試作品Ｎｏ．１〜３１それぞれについての透明度（％）と被覆割合（％）との関係を棒グラフ図として示したものである。
【００３４】
さらにまた、「対Ｎｏ．１比」として表示されている「対Ｎｏ．１比項目欄」には、サンプル衣類である試作品Ｎｏ．２〜３１までの各ストッキングの透明度（％）を標準衣類である試作品Ｎｏ．１のストッキングの透明度（％）で各別に除して得られた数値（試作品Ｎｏ．１のストッキングを「１」とした場合の試作品Ｎｏ．２〜３１の比例値）が示されている。なお、図５は、表２における「対Ｎｏ．１比項目欄」に表示されている試作品Ｎｏ．１〜３１の数値を折れ線グラフ図として示したものである。
【００３５】
上記実施例によれば、表２の「濃度項目欄」と「透明度項目欄」と「被覆割合項目欄」と「対Ｎｏ．１比項目欄」とのいずれの項目についても、それぞれに表示されている数値の傾向が項目を異にしても同じ相関関係にあることが判明する。すなわち、図３に示されている濃度数値、図４に示されている透明度と被覆割合、および図５に示されている対Ｎｏ．１比のいずれにおいても、数値変動が同じ傾向をみせており、試作品Ｎｏ．１のストッキングとの関係ではあるものの、この数値傾向を透明感の高低を相対的に判定する透明感判定基準として採用できることが判明する。
【００３６】
以上は、本発明を図示例に基づいて説明したものであり、その具体的な態様はこれに限定されるものではない。例えば、各種衣類の測色対象部位は、着用時に生成される全方位方向での伸張状態を疑似生成できる部位でさえあればその位置を問わないで本発明を適用することができる。また、使用する分光光度計も濃度数値さえ検出できるものであれば、そのメーカーや機種を問わないで本発明を適用することができる。さらに、測色台の基準色地は、黒色を例に説明しているが、暗色系でさえあれば黒色のみならず濃紺色などのように明度の低い適宜の色を採用することができる。
【００３７】
【発明の効果】
以上述べたように本発明によれば、分光光度計を利用して衣類から取得した測色データを、所定の手法に従って衣類の透明感の程度を示す数値に変換して取得し、これら取得数値相互を比較することにより個々の衣類の相対的な透明感を客観的に評価することができることになる。
【００３８】
したがって、上記透明感の高低を評価しつつファッション性に富む各種衣類の開発・提供が可能となる結果、顧客ニーズに適合した製品開発の一助として有効に寄与させることができる。
【図面の簡単な説明】
【図１】ストッキングの測色部位を示す説明図であり、そのうちの（ａ）は、ストッキングの測色対象部位の具体的な位置関係を示し、（ｂ）は、（ａ）に示す測色対象部位を含む領域を拡大して示している。
【図２】黒色の基準色地からなる測色台上にストッキングの図１に対応する測色対象部位を位置固定させた状態を示す平面図。
【図３】表２に表示されている試作品Ｎｏ．１〜３１の各濃度数値を示した折れ線グラフ図。
【図４】表２に表示されている試作品Ｎｏ．１〜３１それぞれについての透明度（％）と被覆割合（％）との関係を示す棒グラフ図。
【図５】表２に「対Ｎｏ．１比」として表示されている試作品Ｎｏ．１〜３１の数値を示す折れ線グラフ図。
【符号の説明】
１１  ストッキング
１２  踵部
１３  脹ら脛部
１４  一部領域
１５  測色対象部位
１６  表面
１８  円形枠剤
１９  固定金具
【図１】
2004333189.tif 000004
【図２】
2004333189.tif 000005
【図３】
2004333189.tif 000006
【図４】
2004333189.tif 000007
【図５】
2004333189.tif 000008